(57)【要約】【課題】発表者用画面上に子画面として聴講者用画面の表示を行う際、子画面が邪魔になったり、子画面の表示処理によって他の表示処理が滑らかに行われないなどの課題を解決し、発表者が有意義なプレゼンテーションを行うことを支援するプレゼンテーション支援システムを提供することを目的とする。【解決手段】画面合成手段３０６が、制御手段３００あるいは制御手段３００を介して画面合成手段３０６に供給されるユーザー入力手段３０１の指示内容にしたがって、発表者用画面データ生成手段３０４で生成された発表者用画面データと、子画面データ生成手段３０５で聴講者用画面データを加工して生成された子画面データとを合成するように動作する。【選択図】図２
2007086616.tif 000002
【特許請求の範囲】
【請求項１】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記画面合成手段が、前記制御手段あるいは前記制御手段を介して前記画面合成手段に供給されるユーザー入力手段の指示内容にしたがって前記発表者用画面データと前記子画面データを合成するように動作することを特徴とするプレゼンテーション支援システム。
【請求項２】
前記画面合成手段が、前記発表者用画面データと前記子画面データを所定の割合で混合するように動作し、前記子画面データの背面に隠れる前記発表者用画面データの内容が確認できるようにすることを特徴とする請求項１記載のプレゼンテーション支援システム。
【請求項３】
前記聴講者用表示手段が前記聴講者用画面データの表示を行う時に、前記画面合成手段が、前記発表者用画面データと前記子画面データを合成するように動作することを特徴とする請求項１記載のプレゼンテーション支援システム。
【請求項４】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記子画面データ生成手段が、前記制御手段あるいは前記ユーザー入力手段を介して供給されるユーザー入力の指示内容にしたがって、所定の時間間隔で子画面データを生成するように動作することを特徴とするプレゼンテーション支援システム。
【請求項５】
前記所定の時間間隔が、前記制御手段の処理能力にしたがって決定されることを特徴とする請求項４記載のプレゼンテーション支援システム。
【請求項６】
前記所定の時間間隔が、前記聴講者用画面データの変化状況にしたがって決定されることを特徴とする請求項４記載のプレゼンテーション支援システム。
【請求項７】
前記所定の時間間隔が、前記ユーザー入力手段及び前記制御手段を介して子画面生成手段に供給されるデータ更新間隔にしたがって決定されることを特徴とする請求項４記載のプレゼンテーション支援システム。
【請求項８】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記制御手段が、前記ユーザー入力手段を介して供給されるユーザーの所定の操作にしたがって、ポインティングデバイスからの入力によるポインタを、前記発表者用画面か前記聴講者用画面かいずれかの画面に表示するように、前記発表者用画面データ生成手段及び前記聴講者用画面データ生成手段を制御することを特徴とするプレゼンテーション支援システム。
【請求項９】
前記所定の操作が、前記ユーザー入力手段を用いて行われるあらかじめ定められた手順のキーボード操作、または前記発表者用画面に設けた操作メニューに準備したポインタ移動用ボタンを操作することであることを特徴とする請求項８記載のプレゼンテーション支援システム。
【請求項１０】
前記所定の操作が、前記ユーザー入力手段により現在表示されている画面から前記ポインタを画面外に移動する操作であることを特徴とする請求項８記載のプレゼンテーション支援システム。
【請求項１１】
前記所定の操作が、前記ポインタが前記発表者用画面にある場合、前記ユーザー入力手段により前記ポインタを前記発表者画面の中の前記子画面データが表示されている領域に移動する操作であることを特徴とする請求項８記載のプレゼンテーション支援システム。
【請求項１２】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記制御手段は、前記聴講者用画面データ生成手段が前記子画面データ生成手段で生成される子画面データを用いて聴講者用画面データを生成しないように制御することを特徴とするプレゼンテーション支援システム。
【請求項１３】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記ユーザー入力手段を介して供給される発表者の指示にしたがって所望のファイルを選択するファイル選択手段と、前記ファイル選択手段において取得したファイルを展開しアプリケーション画面データを生成するファイル展開手段と、前記アプリケーション画面データを用いて前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記ファイル選択手段及び前記ファイル展開手段及び前記聴講者用画面データ生成手段及び前記子画面データ生成手段及び前記画面合成手段各々を制御する制御手段とを備え、前記ファイル選択手段が、前記発表者用合成画面データの中の前記子画面データが表示される領域に対して前記ユーザー入力手段によってドラッグアンドドロップされたファイルを選択することを特徴とするプレゼンテーション支援システム。
【請求項１４】
発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記ユーザー入力手段を用いて前記発表者用合成画面データの中の子画面データ領域に入力される情報を取得する子画面領域入力情報取得手段と、前記発表者用画面データ生成手段及び前記聴講者用画面データ生成手段及び前記子画面データ生成手段及び前記画面合成手段及び前記子画面領域入力情報取得手段各々を制御する制御手段とを備え、前記聴講者用画面データ生成手段が、前記子画面領域入力情報取得手段で取得された画像データを用いて聴講者用画面データを生成することを特徴とするプレゼンテーション支援システム。
【発明の詳細な説明】
【技術分野】
【０００１】
本発明は、発表会や講演、ミーティング等におけるプレゼンテーションについて効果的なプレゼンテーションを行うために支援をするためのプレゼンテーション支援システムに関するものである。
【背景技術】
【０００２】
従来、発表会や講演、ミーティング等におけるプレゼンテーション支援システムは、特許文献１（特開平７−７６６４号公報）に記載されたものが知られている。
【０００３】
そのプレゼンテーション支援システムを図１５に示す。図１５は従来のプレゼンテーション支援システムの構成図を示すものである。
【０００４】
図において、１５０１は必要な指令信号の入力を受け付ける入力部、１５０２は、入力部１５０１で入力された指令信号を受ける制御部、１５０３はプレゼンテーション装置からの映像信号を入力する映像入力部、１５０４は所定の手続きを記憶し、これによって制御部１５０２を動作させるプログラムメモリ、１５０５は画面の解説文等を記憶した記憶媒体、１５０６は映像入力部１５０３より入力された映像データを記憶する第１フレームメモリ、１５０７は第１フレームメモリ１５０６の次のフレームの映像データを記憶する第２フレームメモリ、１５０８は映像入力部１５０３に入力された映像や解説文、および次に表示する映像をマルチ画面に合成する画面合成マルチ表示部、１５０９は画面合成マルチ表示部１５０８で合成したマルチ画面を記憶する第２表示メモリ、１５１０は第２表示メモリ１５０９に記憶内容の表示を行うモニタ表示部、１５１１は映像入力部１５０３により入力され現在表示を行っている映像データを記憶する第１表示メモリ、１５１２は第１表示メモリ１５１１が記憶している映像データの投射を行うプロジェクタ表示部である。
【０００５】
この構成により、現在、プロジェクタ表示部１５１２によって投射している映像データを第１フレームメモリ１５０６に記憶し、第１表示メモリ１５１１に記憶するとともに、次の投射画面を第２フレームメモリ１５０７に記憶し、記憶媒体１５０５に記憶された解説文章等と合成して、第２表示メモリ１５０９に記憶させて、モニタ表示部１５１０の子画面に表示できる。
【特許文献１】特開平７−７６６４号公報
【発明の開示】
【発明が解決しようとする課題】
【０００６】
しかしながら上記の従来の構成では、モニタ上に子画面として表示するプロジェクタへ投射する映像、解説文を表示させる際、これらの表示により裏に表示されている画面が見えなくなると言う第１の課題を有していた。
【０００７】
また、従来の技術では特に記載されていないが、プロジェクタへの投射画面とモニタ上に表示する子画面とを同時に表示を行うと、制御を行うプロセッサに対して非常に大きな負荷がかかるため、他の画像表示処理が十分にプロセッサを使用できないため滑らかな表示が行えないと言う第２の課題を有していた。
【０００８】
モニタに表示を行っている画面とプロジェクタに表示を行っている画面との相関関係が分かりにくいため、モニタ上からプロジェクタ上へポインタを移動させる手順が初心者には分かりにくい。また、ポインタを移動させる間、無意味な時間を作ってしまうと言う第３の課題を有していた。
【０００９】
モニタ上の子画面をプロジェクタ上で表示を行っている画面上へ移動させてしまうと、合わせ鏡の様な表示を行ってしまい、無意味な映像を表示してしまうと言う第４の課題を有していた。
【００１０】
モニタに表示を行っている画面とプロジェクタに表示を行っている画面との相関関係が分かりにくいため、発表者が提示したいファイルを表示させるための手順が、初心者に分かりにくく、また、ファイルを開いて移動させる間、無意味な時間を作ってしまうと言う第５の課題を有していた。
【００１１】
プロジェクタによって投射されている投射画面への入力は投射画面上で入力操作を行わないと入力できないと言う第６の課題を有していた。
【００１２】
本発明は、発表者用画面上に子画面として聴講者用画面の表示を行う際、子画面が邪魔になったり、子画面の表示処理によって他の表示処理が滑らかに行われないなどの課題を解決し、発表者が有意義なプレゼンテーションを行うことを支援するプレゼンテーション支援システムを提供することを目的とする。
【課題を解決するための手段】
【００１３】
本発明の請求項１に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記画面合成手段が、前記制御手段あるいは前記制御手段を介して前記画面合成手段に供給されるユーザー入力手段の指示内容にしたがって、前記発表者用画面データと前記子画面データを合成するように動作することを特徴とするプレゼンテーション支援システム、としたものであり、ユーザーの入力により子画面データの表示の有無を決定することで、子画面データの背面に隠れている発表者用画面データの表示を発表者が見ることができる、と言う作用を有する。
【００１４】
本発明の請求項２に記載の発明は、前記画面合成手段が、前記発表者用画面データと前記子画面データを所定の割合で混合するように動作し、前記子画面データの背面に隠れる前記発表者用画面データの内容が確認できるようにすることを特徴とする請求項１記載のプレゼンテーション支援システム、としたものであり、子画面データを半透明化して表示することで、子画面データの背面に隠れている発表者用画面データの表示を発表者が見ることができる、と言う作用を有する。
【００１５】
本発明の請求項３に記載の発明は、前記聴講者用表示手段が前記聴講者用画面データの表示を行う時に、前記画面合成手段が、前記発表者用画面データと前記子画面データを合成するように動作することを特徴とする請求項１記載のプレゼンテーション支援システム、としたものであり、聴講者へ対して聴講者用画面の表示が開始される時に子画面データの表示を行うことで、必要な時以外は発表者用画面の全面を発表者は見ることができる、と言う作用を有する。
【００１６】
本発明の請求項４に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記子画面データ生成手段が前記制御手段あるいは前記ユーザー入力手段を介して供給されるユーザー入力の指示内容にしたがって、所定の時間間隔で子画面データを生成するように動作することを特徴とするプレゼンテーション支援システム、としたものであり、子画面の更新間隔を最適化することで、子画面を表示する処理を軽量化することでこの処理にかかるプロセッサの占有率を下げ、他の画面表示等の処理を行うためにプロセッサを十分に使用できるため、滑らかな表示が可能となる、と言う作用を有する。
【００１７】
本発明の請求項５に記載の発明は、前記所定の時間間隔が、前記制御手段の処理能力にしたがって決定されることを特徴とする請求項４記載のプレゼンテーション支援システム、としたものであり、子画面の更新間隔を最適化することで、子画面を表示する処理を軽量化し、この処理にかかるプロセッサの占有率を下げ、他の画面表示等の処理を行うためにプロセッサを十分に使用できるため、滑らかな表示が可能となる、と言う作用を有する。
【００１８】
本発明の請求項６に記載の発明は、前記所定の時間間隔が、前記聴講者用画面データの変化状況にしたがって決定されることを特徴とする請求項４記載のプレゼンテーション支援システムとしたものであり、子画面の更新間隔を最適化することで、子画面を表示する処理を軽量化し、この処理にかかるプロセッサの占有率を下げ、他の画面表示等の処理を行うためにプロセッサを十分に使用できるため、滑らかな表示が可能となる、と言う作用を有する。
【００１９】
本発明の請求項７に記載の発明は、前記所定の時間間隔が、前記ユーザー入力手段及び前記制御手段を介して子画面生成手段に供給されるデータ更新間隔にしたがって決定されることを特徴とする請求項４記載のプレゼンテーション支援システムとしたものであり、子画面の更新間隔を最適化することで、子画面を表示する処理を軽量化し、この処理にかかるプロセッサの占有率を下げ、他の画面表示等の処理を行うためにプロセッサを十分に使用できるため、滑らかな表示が可能となる、と言う作用を有する。
【００２０】
本発明の請求項８に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記制御手段が、前記ユーザー入力手段を介して供給されるユーザーの所定の操作にしたがって、ポインティングデバイスからの入力によるポインタを、前記発表者用画面か前記聴講者用画面かいずれかの画面に表示するように、前記発表者用画面データ生成手段及び前記聴講者用画面データ生成手段を制御することを特徴とするプレゼンテーション支援システムとしたものであり、マウスポインタ等のポインタを簡単な操作で聴講者用画面上へ移動させる、発表者用画面上へ戻すことができる、と言う作用を有する。
【００２１】
本発明の請求項９に記載の発明は、前記所定の操作が、前記ユーザー入力手段を用いて行われるあらかじめ定められた手順のキーボード操作、または前記発表者用画面に設けた操作メニューに準備したポインタ移動用ボタンを操作することであることを特徴とする請求項８記載のプレゼンテーション支援システムとしたものであり、特定のキー操作、あるいはポインタ移動専用ボタンによってポインタを移動させることができる、と言う作用を有する。
【００２２】
本発明の請求項１０に記載の発明は、前記所定の操作が、前記ユーザー入力手段により現在表示されている画面から前記ポインタを画面外に移動する操作であることを特徴とする請求項８記載のプレゼンテーション支援システムとしたものであり、ポインタを発表者用画面、もしくは聴講者用画面の画面外へ移動させた時に、ポインタが存在している画面から、もう一方の画面へ移動させることができる、と言う作用を有する。
【００２３】
本発明の請求項１１に記載の発明は、前記所定の操作が、前記ポインタが前記発表者用画面にある場合、前記ユーザー入力手段により前記ポインタを前記発表者画面の中の前記子画面データが表示されている領域に移動する操作であることを特徴とする請求項８記載のプレゼンテーション支援システムとしたものであり、子画面へポインタを移動させると聴講者画面上へポインタを移動させることができる、と言う作用を有する。
【００２４】
本発明の請求項１２に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記聴講者用画面データ生成手段及び前記子画面データ生成手段及び前記画面合成手段各々を制御する制御手段とを備え、前記制御手段は、前記聴講者用画面データ生成手段が前記子画面データ生成手段で生成される子画面データを用いて聴講者用画面データを生成しないように制御することを特徴とするプレゼンテーション支援システムとしたものであり、子画面を聴講者用画面上へ表示させないことで、聴講者用画面へ対して無意味な表示を行わないようにすることができる、と言う作用を有する。
【００２５】
本発明の請求項１３に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記ユーザー入力手段を介して供給される発表者の指示にしたがって所望のファイルを選択するファイル選択手段と、前記ファイル選択手段において取得したファイルを展開しアプリケーション画面データを生成するファイル展開手段と、前記アプリケーション画面データを用いて前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記発表者用画面データ生成手段及び前記ファイル選択手段及び前記ファイル展開手段及び前記聴講者用画面データ生成手段及び前記子画面データ生成手段及び前記画面合成手段各々を制御する制御手段とを備え、前記ファイル選択手段が、前記発表者用合成画面データの中の前記子画面データが表示される領域に対して前記ユーザー入力手段によってドラッグアンドドロップされたファイルを選択することを特徴とするプレゼンテーション支援システムとしたものであり、子画面上へファイルをドラッグアンドドロップすると言う簡単な作業のみで、そのファイルを聴講者画面上で展開、表示することで、簡単な作業で聴講者へ対してファイル内容を提示できる、と言う作用を有する。
【００２６】
本発明の請求項１４に記載の発明は、発表者が見る発表者用画面と聴講者が見る聴講者用画面とをそれぞれ少なくとも１つ以上有するプレゼンテーション支援システムにおいて、発表者からの入力を受け付けるユーザー入力手段と、前記発表者用画面に表示する発表者用画面データを生成する発表者用画面データ生成手段と、前記聴講者用画面に表示する聴講者用画面データを生成する聴講者用画面データ生成手段と、前記聴講者用画面データの表示を行う聴講者用表示手段と、前記聴講者用画面データを加工し子画面データとして生成する子画面データ生成手段と、前記発表者用画面データと前記子画面データとを合成する画面合成手段と、前記画面合成手段によって生成された発表者用合成画面データの表示を行う発表者用表示手段と、前記ユーザー入力手段を用いて前記発表者用合成画面データの中の子画面データ領域に入力される情報を取得する子画面領域入力情報取得手段と、前記発表者用画面データ生成手段及び前記聴講者用画面データ生成手段及び前記子画面データ生成手段及び前記画面合成手段及び前記子画面領域入力情報取得手段各々を制御する制御手段とを備え、前記聴講者用画面データ生成手段が、前記子画面領域入力情報取得手段で取得された画像データを用いて聴講者用画面データを生成することを特徴とするプレゼンテーション支援システムとしたものであり、子画面上に入力された内容を聴講者画面に反映することができる、と言う作用を有する。
【発明の効果】
【００２７】
以上のように本発明は、第１に、子画面が発表者用画面を見るために、邪魔にならないようにする、第２に、子画面内の更新間隔を最適化し、聴講者用画面の滑らかな表示を妨げないようにする、第３に、ポインタを移動させるのに、簡単な操作によって移動を実現する、第４に、聴講者用画面に無意味な表示を行わせないようにする、第５に、ファイル内容を提示させるのに、簡単な操作によってファイル内容の表示を実現する、第６に、子画面上に入力された内容を聴講者画面上に反映する、と言う優れた効果が得られる。
【発明を実施するための最良の形態】
【００２８】
以下、本発明の実施の形態について、図１から図１４を用いて説明する。
【００２９】
（実施の形態１）
図１は本発明の実施の形態１に係るプレゼンテーション支援システムの外観構成を示す図である。
【００３０】
このプレゼンテーション支援システムは、パーソナルコンピュータ（以下ＰＣと称する）１００から発表者用画面１１０と聴講者用画面２１０を出力する。
【００３１】
ＰＣ１００から出力された聴講者用画面２１０は、プロジェクタ２００によってスクリーン１０に投射されている。
【００３２】
また、ＰＣ１００のモニタ上に発表者用画面１１０と合わせて聴講者用画面２１０を子画面１２０として表示している。
【００３３】
図２は本発明の実施の形態１に係るプレゼンテーション支援システムを構成するＰＣ１００及びプロジェクタ２００の機能的な構成を示すブロック図である。
【００３４】
プレゼンテーション支援システムは、制御手段３００、ユーザー入力手段３０１、聴講者用画面データ生成手段３０２、聴講者用画面表示手段３０３、発表者用画面データ生成手段３０４、子画面データ生成手段３０５、画面合成手段３０６、発表者用画面表示手段３０７を備える。
【００３５】
この例では、聴講者用画面表示手段３０３はプロジェクタ２００であり、それ以外は全てＰＣ１００内で機能的な構成要素として備える。
【００３６】
なお、本実施の形態では聴講者用画面表示手段３０３をプロジェクタとしたが、プラズマディスプレイパネル（ＰＤＰ）や液晶ディスプレイ、ブラウン管としても良い。
【００３７】
なお、本実施の形態ではＰＣ１００とプロジェクタ２００が有線で接続されているが、無線ＬＡＮやBluetoothと言った無線通信により接続されていても構わない。
【００３８】
以上のように構成されたプレゼンテーション支援システムにおいて、制御手段３００は、ユーザー入力手段３０１によるユーザーからの入力信号を受け、他の構成要素である、聴講者用画面データ生成手段３０２、発表者用画面データ生成手段３０４、子画面データ生成手段３０５、画面合成手段３０６の制御を行う。
【００３９】
制御手段３００は、ＰＣ１００内では、マイクロプロセッサやＣＰＵに代表されるプロセッサによって実現している。
【００４０】
ユーザー入力手段３０１は、発表者がマウスやキーボード、タブレット、タッチパネル等の入力装置を介して入力した入力信号を受ける。
【００４１】
聴講者用画面データ生成手段３０２は、制御手段３００がユーザー入力手段３０１により入力された入力信号によりアプリケーションでのデータやファイルの演算等の処理を行った結果から聴講者用画面データの生成を行う。
【００４２】
聴講者用画面表示手段３０３は、聴講者用画面データ生成手段３０２によって生成された聴講者用画面データの表示を行う。
【００４３】
発表者用画面データ生成手段３０４は、制御手段３００がユーザー入力手段３０１により入力された入力信号によりアプリケーションでのデータやファイルの演算等の処理を行った結果から発表者用画面データの生成を行う。
【００４４】
子画面データ生成手段３０５は、聴講者用画面データ生成手段３０２が生成した聴講者用画面データを取得し、縮小等の処理を行い子画面データを生成する。
【００４５】
画面合成手段３０６は、発表者用画面データ生成手段３０４が生成した発表者用画面データと子画面データ生成手段３０５が生成した子画面データを合成し、発表者用合成画面データを生成する。
【００４６】
発表者用画面表示手段３０７は、画面合成手段３０６で合成された発表者用画面合成データの表示を行う。この例では、発表者用画面表示手段３０７は、ＰＣ１００の液晶モニタである。
【００４７】
なお、この例では液晶モニタとしたが、ＰＤＰ、ブラウン管モニタ、プロジェクタ等でも構わない。
【００４８】
この画面合成手段３０６では、発表者用画面データと子画面データとを合成する際、子画面データを半透明にして表示させる。
【００４９】
「０％」を無透過とし、「１００％」を透明とする透過率で表すと、この子画面の透過率は３５％程度が最適とされる。
【００５０】
なお、発表者用画面表示手段３０７によって表示している領域のうち、子画面データを表示している領域がアクティブ領域となった時の子画面の透過率は３０％、非アクティブと指定されたときは５０％としても良い。
【００５１】
なお、子画面領域を半透明にすると見えにくいのであれば、発表者用画面表示手段３０７によって表示している領域のうち、子画面データを表示している領域がアクティブ領域となった時の子画面の透過率は０％、非アクティブと指定されたときは７０％としても良い。
【００５２】
また、画面合成手段３０６によって発表者用画面データと子画面データの合成を行うのは、聴講者用画面表示手段３０３によって、聴講者用画面データの表示が行われている間とする。
【００５３】
なお、聴講者用画面表示手段３０３による表示は行われていないが、聴講者用画面データ生成手段３０２によって聴講者用画面データの生成が行われている間は、画面合成手段３０６は発表者用画面合成データの生成を行う、としても良い。
【００５４】
（実施の形態２）
このプレゼンテーション支援システムでは、図１、図２にある実施の形態１と同様の構成を有する。
【００５５】
実施の形態１との差異は、子画面データ生成手段３０５が制御手段３００からの入力を受けて子画面データを生成する間隔を変更する点である。
【００５６】
図３は、本発明の実施の形態２に係るプレゼンテーション支援システムにおける制御手段３００を構成するプロセッシングユニットのクロック周波数と子画面データを生成する間隔との対応図である。
【００５７】
子画面データ生成手段３０５は制御手段３００が動作しているクロック周波数を図３と照らし合わせた結果を受け、子画面データ生成の間隔を決定し、子画面データ生成手段３０５へ通知を行う。
【００５８】
例えば、制御手段３００を構成するプロセッサのクロック周波数が１ＧＨｚの場合、図３より子画面データを生成する間隔は５０ミリ秒となる。
【００５９】
なお、子画面データを生成する間隔は、図３に示す対応図の他に、制御手段３００を構成するプロセッサの処理量に発表者用画面の表示処理で占有できる量の割合によって補正を行っても良い。
【００６０】
例えば、制御手段３００を構成するプロセッサのクロック周波数が１ＧＨｚで、発表者用画面１１０の表示処理により制御手段３００のプロセッサを占有できる処理量が５０％の場合、図３の対応図より、子画面データ生成の間隔は５０ミリ秒である。ここに表示処理による補正を行うと、５０（ミリ秒）÷０．５＝１００（ミリ秒）の計算より子画面データの生成間隔を１００ミリ秒とする。
【００６１】
なお、子画面データの生成間隔は、聴講者用画面２１０の変化状況に応じて変更しても良い。
【００６２】
図４は、本発明の実施の形態２に係るプレゼンテーション支援システムにおける聴講者用画面２１０における変化状況を模式的に表した模式図である。
【００６３】
４０１は、現在、表示が行われている聴講者用画面データである。４０２は、聴講者用画面データ４０１の１つ前のフレームの聴講者用画面データである。４０３は、現在の聴講者用画面データ４０１と１つ前のフレームの聴講者用画面データ４０２とを比較して、変化のあった領域である。
【００６４】
図５は、本発明の実施の形態２に係るプレゼンテーション支援システムにおける聴講者用画面２１０における変化領域４０３の状況と子画面データ生成の間隔の対応図である。
【００６５】
図５の対応図により制御手段３００は、変化領域４０３の有無より子画面データの生成間隔を決定し、子画面データ生成手段３０５へ通知を行う。
【００６６】
聴講者画面２１０上で変化が生じた場合、変化が生じてから０．１秒経過するまでは、子画面データは３３ミリ秒間隔で生成される。そして、変化が生じてからの経過時間に応じて、生成間隔を広くすることで、子画面１２０の表示にかかる制御手段３００の処理量を軽減する。
【００６７】
なお、この例では、経過時間と共に子画面データの生成間隔を広くしたが、変化のあった時は生成間隔を狭く、それ以外は生成間隔を広くする、でも構わない。
【００６８】
図６は、本発明の実施の形態２に係るプレゼンテーション支援システムにおける聴講者用画面２１０上へ、ユーザー入力手段３０１を介して発表者からの聴講者用画面２１０上のアプリケーション等へ対しての入力状況と子画面データ生成の間隔の対応図である。
【００６９】
発表者がユーザー入力手段３０１から聴講者用画面２１０へ対して入力を行ってからの経過時間に応じて子画面データの生成間隔を広くすることで、子画面１２０の表示にかかる制御手段３００の処理量を軽減する。
【００７０】
図７は、本発明の実施の形態２に係るプレゼンテーション支援システムにおける子画面データ生成間隔を決定するためのＧＵＩの表示例を示す図である。
【００７１】
なお、図７に示すメニューより発表者へ対して入力を求め、入力結果から、子画面データの生成間隔を一意に決定しても良い。
【００７２】
この例では、「はやい」が選択されたときの子画面データの生成間隔は５０ミリ秒、「ふつう」が選択された時は１００ミリ秒、「おそい」が選択された時は２００ミリ秒としている。
【００７３】
（実施の形態３）
このプレゼンテーション支援システムでは、図１、図２にある実施の形態１と同様の構成を有する。
【００７４】
図８に、本発明の実施の形態３に係るプレゼンテーション支援システムにおける発表者用画面１１０と聴講者用画面２１０の表示例を示す。
【００７５】
８０１はマウス、タブレット、タッチパネルと言ったポインティングデバイス等によって位置の指定することのできるポインタである。８０２はＰＣ１００画面上に表示されているファイルのアイコンである。８０３はＰＣ１００画面上に表示されているアプリケーションウィンドウである。８０４は、ポインタ８０１が表示されている画面、この例では発表者用画面１１０、に表示されるポインタ移動用ボタンである。
【００７６】
実施の形態１との差異は、ユーザー入力手段３０１により入力された入力信号により、入力信号がポインタ移動用ボタン８０４を押す、と入力があった場合、ポインタ８０２を発表者用画面１１０から聴講者用画面２１０、もしくは、聴講者用画面２１０から発表者用画面１１０へ移動させる、事である。
【００７７】
なお、この例ではポインタ移動用ボタンを押す、と発表者から入力があった時にポインタ８０１を移動させる、としたが、キーボードより所定のキー操作（Ctrlキー＋Ｍキー）があったときとしても良い。また、この所定のキー操作は発表者が自由に指定したものでも、あらかじめ定められているものでも構わない。
【００７８】
なお、この例ではポインタ移動用ボタンを押す、と発表者から入力があった時にポインタ８０１を移動させる、としたが、ポインタ８０１が存在する画面（この例では発表者用画面１１０）の画面外へ移動させた場合にとし、ポインタ８０１が存在しないほうの画面（この例では聴講者用画面２１０）の真ん中の位置へポインタ８０１を移動させる、としても構わない。
【００７９】
なお、この例ではポインタ移動用ボタンを押す、と発表者から入力があった時にポインタ８０１を移動させる、としたが、ポインタ８０１を子画面１２０上へ移動させた際、ポインタ８０１を子画面１２０と聴講者用画面２１０の相対位置へ移動させるとしても良い。または、聴講者用画面２１０の真ん中へ移動させても良い。
【００８０】
また、子画面１２０へポインタ８０１を移動させるだけではなく、クリックやダブルクリックと言ったイベント発生時に、ポインタ８０１を聴講者用画面２１０上へ移動させるとしても構わない。
【００８１】
なお、ここでポインタ８０１を移動させるトリガーとなる入力信号の例をいくつか上げたが、ポインタ８０１を発表者用画面１１０から聴講者用画面２１０へ移動させるための入力と、ポインタ８０１を聴講者用画面２１０から発表者用画面１１０へ移動させるための入力とが異なっても構わない。
【００８２】
また、ポインタ８０１を発表者用画面１１０から聴講者用画面２１０へ移動させるための入力が２つ以上であり、かつポインタ８０１を聴講者用画面２１０から発表者用画面１１０へ移動させるための入力が２つ以上であっても構わない。
【００８３】
なお、ポインタ８０１を移動させる際、このポインタ８０１がドラッグ入力によりアプリケーションウィンドウ８０３を掴んでいる場合は、アプリケーションウィンドウ８０３とポインタ８０１の両方とも移動させても良い。
【００８４】
（実施の形態４）
このプレゼンテーション支援システムでは、図１、図２にある実施の形態１と同様の構成を有する。
【００８５】
制御手段３００は現在の子画面１２０の位置情報を保持していて、子画面１２０をユーザー入力手段３０１によって聴講者用画面へ移動させた場合、制御手段３００は、子画面１２０の移動をさせず、保持している移動前の位置へ子画面１２０を戻す。
【００８６】
なお、ここでは、移動前の位置としたが、制御手段３００は移動前の位置から移動後の位置を算出し、発表者用画面１１０の境界までの移動を許可し、そこからの移動は許可しない、として、移動前の位置から移動後の位置を結ぶ線分のうち、発表者用画面１１０の境界とぶつかる位置へ子画面を移動させる、としても構わない。
【００８７】
なお、この例では、発表者用画面１１０が１つの場合を例としたが、複数の場合、子画面１２０は聴講者へ対して表示を行わない画面内のみ、移動可とする。
【００８８】
（実施の形態５）
このプレゼンテーション支援システムでは、図１にある実施の形態１と同様の構成を有する。
【００８９】
図８は、本発明の実施の形態５にかかるプレゼンテーション支援システムの画面の表示例を示す。
【００９０】
８０１はマウス、タブレット、タッチパネルと言ったポインティングデバイス等によって画面上の位置を指定することのできるポインタである。８０２はＰＣ１００画面上に表示されているファイルのアイコンである。８０３はＰＣ１００画面上に表示されているアプリケーションウィンドウである。８０４は、ポインタ８０１が表示されている画面、この例では発表者用画面１１０、に表示されるポインタ移動用ボタンである。
【００９１】
図９は、本発明の実施の形態５に係るプレゼンテーション支援システムを構成するＰＣ１００及びプロジェクタ２００の機能的な構成を示すブロック図である。
【００９２】
本発明の実施の形態１と同一部分には同一符号を付して説明を省略する。
【００９３】
３０８は、制御手段３００からの通達を受けてファイルを選択するファイル選択手段である。
【００９４】
３０９は、ファイル選択手段３０８によって選択されたファイルを、対応するアプリケーションを用いて展開するファイル展開手段である。３１０は、ファイル選択手段３０８によって選択されたファイルである。
【００９５】
ファイル選択手段３０８はユーザー入力手段３０１の入力を制御手段３００で処理した結果を受け取り、発表者はポインタ８０１を用いて、ファイルのアイコン８０２を子画面１２０を表示している領域へドラッグアンドドロップをしたと解釈された場合、ユーザー入力手段３０１によってドラッグアンドドロップされたファイルアイコン８０２に関連付いているファイル３１０を選択する。
【００９６】
次に、ファイル展開手段３０９はファイル選択手段３０８によって選択されたファイル３１０の展開を行い、展開結果を聴講者用画面データ生成手段３０２へ送る。
【００９７】
こうすることによって、聴講者用画面２１０上で、ユーザー入力手段３０１によって選択されたファイル３１０の内容が展開され表示される。
【００９８】
なお、ここではファイルの選択方法を子画面１２０を表示している領域へのドラッグアンドドロップとしたが、図１０に示すようなダイアログからファイルを選択しても構わない。
【００９９】
図１１は、本発明の実施の形態５に係るプレゼンテーション支援システムの画面表示例を示す。図８と同一部分には同一符号を付して説明を省略する。
【０１００】
８０５はアプリケーション移動用ボタンである。
【０１０１】
ユーザー入力手段３０１によって、アプリケーション移動用ボタン８０５を押すと入力した場合、アプリケーション移動用ボタン８０５を押した時にアクティブとなっている発表者用画面１１０上に存在するアプリケーションウィンドウ８０３を選択し、聴講者用画面２１０へ移動させる。
【０１０２】
また、そのアプリケーションウィンドウ８０３が聴講者用画面２１０上に存在する場合は、発表者用画面１１０へ移動させる。
【０１０３】
なお、アプリケーション移動用ボタン８０５を押す、以外にキーボードより所定のキー操作（Ctrlキー＋Ｆ４キー）があったときとしても良い。また、この所定のキー操作は発表者が自由に指定したものでも、あらかじめ定められているものでも構わない。
【０１０４】
（実施の形態６）
このプレゼンテーション支援システムでは、図１にある実施の形態１と同様の構成を有する。
【０１０５】
図１２は、本発明の実施の形態６にかかるプレゼンテーション支援システムにおける、画面各の表示例である。図１と同一部分には同一符号を付して説明を省略する。
【０１０６】
８０６はペイントのためのツール類をアイコン化してユーザーへ分かりやすく提供しているツールバーである。
【０１０７】
子画面１２０上で、ツールバー８０６で選択されたツール（ここではブラシ）と指定された色（ここでは黒）によってペイント処理をポインタ８０１を用いて入力した。この時、子画面１２０上へ入力したペイント結果が聴講者用画面２１０へ反映される。
【０１０８】
図１３は、本発明の実施の形態６に係るプレゼンテーション支援システムを構成するＰＣ１００及びプロジェクタ２００の機能的な構成を示すブロック図である。
【０１０９】
本発明の実施の形態１と同一部分には同一符号を付して説明を省略する。
【０１１０】
３１１は子画面１２０上にユーザー入力手段３０１を介してユーザーが入力した情報を取り込む子画面入力情報取得手段である。
【０１１１】
ユーザー入力手段３０１から発表者は子画面１２０上へ入力を行う。この際、発表者画面１１０上に表示されているツールバー８０６等から入力の形状を変えることができる。ここでは、ブラシによる入力を行いグラフ上に線の描画を行う、と入力した例を示している。
【０１１２】
図１４は、本発明の実施の形態６に係る子画面入力情報取得手段３１１からの入力を受け聴講者用画面データ生成手段３０２内で構成する聴講者用画面データを示す構成図である。
【０１１３】
２１０は現在、聴講者用画面表示手段３０３により表示されている聴講者用画面である。２１０ａは、聴講者用画面表示手段３０３へ表示するために制御手段３００からの入力を受けて生成した聴講者用画面データを描画した聴講者用画面データレイヤーである。２１０ｂは、子画面入力情報取得手段３１１からの入力により描画された子画面入力データレイヤーである。
【０１１４】
聴講者用画面データ生成手段３０２は、この聴講者用画面データレイヤー２１０ａと子画面入力データレイヤー２１０ｂのデータを重ね合わせて聴講者用画面データの生成を行う。
【０１１５】
この時、聴講者用画面データレイヤー２１０ａに表示されているスライドが切り替えられた際、同時に子画面入力データレイヤー２１０ｂ上のデータのクリアを行う。
【０１１６】
なお、ここでは聴講者用画面データレイヤー２１０ａにおけるスライド切り替えにより子画面入力データレイヤー２１０ｂのクリアを行ったが、ツールバー８０６にあるクリアボタンを押した時、としても良い。
【０１１７】
また、ツールバー８０６にある保存ボタンが押された場合、聴講者用画面データ生成手段３０２は、聴講者用画面データレイヤー２１０ａと子画面入力データレイヤー２１０ｂのデータを重ね合わせて、イメージファイルとして保存する、機能を備えても良い。
【産業上の利用可能性】
【０１１８】
本発明にかかるプレゼンテーション支援システムは、発表者と聴講者へ対して個別の情報を提供し、かつ、第１に、子画面が発表者用画面を見るために、実質的に邪魔にならないようにする、第２に、子画面内の更新間隔を最適化し、聴講者用画面の滑らかな表示を妨げないにようする、第３に、ポインタを移動させるのに、簡単な操作によって移動を実現する、第４に、聴講者用画面に無意味な表示を行わせないようにする、第５に、ファイル内容を提示させるのに、簡単な操作によってファイル内容の表示を実現する、第６に、子画面上に入力された内容を聴講者画面上に反映する、と言った効果を有し、発表会や講演、またはミーティング等におけるプレゼンテーションやデモンストレーション等の用途にも適用できる。
【図面の簡単な説明】
【０１１９】
【図１】本発明の実施の形態１に係るプレゼンテーション支援システムの外観構成図
【図２】本発明の実施の形態１に係るプレゼンテーション支援システムの機能的な構成を示すブロック図
【図３】本発明の実施の形態２に係るプレゼンテーション支援システムの制御手段を構成するプロセッシングユニットのクロック周波数と子画面データを生成する間隔との対応図
【図４】本発明の実施の形態２に係るプレゼンテーション支援システムにおける聴講者用画面における変化状況を模式的に表した模式図
【図５】本発明の実施の形態２に係るプレゼンテーション支援システムにおける聴講者用画面における変化領域の状況と子画面データ生成の間隔の対応図
【図６】本発明の実施の形態２に係るプレゼンテーション支援システムにおける聴講者用画面上へ、ユーザー入力手段を介して発表者からの聴講者用画面へ対しての入力状況と子画面データ生成の間隔の対応図
【図７】本発明の実施の形態２に係るプレゼンテーション支援システムにおける子画面データ生成間隔を決定するためのＧＵＩの表示例を示す図
【図８】本発明の実施の形態３，５にかかるプレゼンテーション支援システムの画面の表示例を示す図
【図９】本発明の実施の形態５に係るプレゼンテーション支援システムの機能的な構成を示すブロック図
【図１０】本発明の実施の形態５に係るプレゼンテーション支援システムの機能的な構成を示すブロック図
【図１１】本発明の実施の形態５に係るプレゼンテーション支援システムの画面表示例を示す図
【図１２】本発明の実施の形態６に係るプレゼンテーション支援システムにおける画面各の表示例を示す図
【図１３】本発明の実施の形態６に係るプレゼンテーション支援システムの機能的な構成を示すブロック図
【図１４】本発明の実施の形態６に係るプレゼンテーション支援システムの聴講者用画面データを示す構成図
【図１５】従来のプレゼンテーション支援システムの構成図
【符号の説明】
【０１２０】
１０  スクリーン
１００  パーソナルコンピュータ
１１０  発表者用画面
１２０  子画面
２００  プロジェクタ
２１０  聴講者用画面
２１０ａ  聴講者用画面データレイヤー
２１０ｂ  子画面入力データレイヤー
３００  制御手段
３０１  ユーザー入力手段
３０２  聴講者用画面データ生成手段
３０３  聴講者用画面表示手段
３０４  発表者用画面データ生成手段
３０５  子画面データ生成手段
３０６  画面合成手段
３０７  発表者用画面表示手段
３０８  ファイル選択手段
３０９  ファイル展開手段
３１０  ファイル
３１１  子画面入力情報取得手段
８０１  ポインタ
８０２  ファイルアイコン
８０３  アプリケーションウィンドウ
８０４  ポインタ移動用ボタン
８０５  アプリケーション移動用ボタン
８０６  ツールバー
【図２】
2007086616.tif 000003
【図３】
2007086616.tif 000004
【図４】
2007086616.tif 000005
【図５】
2007086616.tif 000006
【図６】
2007086616.tif 000007
【図７】
2007086616.tif 000008
【図９】
2007086616.tif 000009
【図１０】
2007086616.tif 000010
【図１３】
2007086616.tif 000011
【図１５】
2007086616.tif 000012
【図１】
2007086616.tif 000013
【図８】
2007086616.tif 000014
【図１１】
2007086616.tif 000015
【図１２】
2007086616.tif 000016
【図１４】
2007086616.tif 000017